(57)【要約】      （修正有）【課題】箸全体を包装する全体包装タイプの箸袋として、箸包装形態を安定した状態に保持でき、出荷元から出荷先に大量出荷する場合、袋詰めの自動化が容易であり、嵩張ることもない、全封箸袋を提供する。【解決手段】包装される箸の全体を包みシートＳで一方向に包んだ包み体５の両端部をシール接着し、両端部のシール接着部６，６の内側近傍に該シール接着部を切り離し可能なミシン目状の切れ目７，７をそれぞれ形成した。この切れ目７は対のミシン目状切れ目部７ａ，７ｂを構成単位として形成してある。【選択図】図１
0003152057.tif 000002
【実用新案登録請求の範囲】
【請求項１】
包装される箸の全長より長い縦幅を有し、この縦幅方向と平行な各横幅規制折り目でベース包みシート部と該ベース包みシート部の両側に位置する内側包みシート部と外側包みシート部とに区画した紙製、不織布製又は樹脂製の包みシートを、前記ベース包みシート部の包み面に向けて前記内側包みシート部と外側包みシート部とを前記各横幅規制折り目を介して交互に横幅方向に折り返し、前記ベース包みシート部と前記内側及び外側包みシート部との間に包装される箸の全長を縦幅方向に向けて被包する包み範囲部を形成した略扁平状の包み体であり、この包み体の縦幅方向における両端部をシール接着し、且つこの両端部のシール接着部の内側近傍に該シール接着部を前記包み範囲部から切り離し可能なミシン目状の切れ目を前記包み体の包み方向の全周に亘ってそれぞれ形成した全封箸袋。
【請求項２】
前記包みシートを、前記各横幅規制折り目と平行な折り目で二層の重ねシートに折畳み、この重ねシートに前記各横幅規制折り目で前記ベース包みシート部、前記内側包みシート部、前記外側包みシート部を区画形成した請求項１に記載の全封箸袋。
【請求項３】
前記外側包みシート部の包み方向の先端側を前記各横幅規制折り目と平行な先端部折り目で包み方向の内側に折り返し、この外側包みシート部の先端部に前記先端部折り目で内側に折り返された折り返し端片を形成すると共に、前記先端部折り目の位置を、前記ベース包みシート部と前記内側包みシート部とを区画する前記横幅規制折り目から包み方向の内側にズラした包み体とした請求項１に記載の全封箸袋。
【請求項４】
前記包みシートを、前記各横幅規制折り目と平行な折り目で横幅方向の両端辺を長短ずらした二つ折りに折畳み、この折畳みシートの前記折り目側を前記内側包みシート部、前記両端辺側を前記外側包みシート部とし、この外側包みシート部の長い端辺側の先端部を前記各横幅規制折り目と平行な先端部折り目でこの外側包みシート部の短い端辺側の先端部に向けて包み方向の内側に折り返し、この外側包みシート部の先端部に前記先端部折り目で折り返された折り返し端片を形成し、前記ベース包みシート部の横幅サイズに対して前記外側包みシート部の横幅サイズを前記先端部折り目による折り返し分だけ短く形成した請求項１に記載の全封箸袋。
【請求項５】
前記切れ目を、互いに近設した平行な対のミシン目状切れ目部を構成単位として形成し、対のミシ目状切れ目部の一方側の各接続部と各切れ目部を他方側の各接続部と各切れ目部に対して包み方向において互い違いに形成すると共に、一方側の各切れ目部の切れ目端とこの切れ目端に隣り合う他方側の切れ目部とを縦幅方向に交わる位置に形成した請求項１から４のいずれかに記載の全封箸袋。
【請求項６】
前記各シール接着部の内側近傍にそれぞれ形成した前記切れ目のいずれか一方の切れ目と所定の間隔をおいた縦幅方向における内側位置に前記切れ目と平行なミシン目状の第二切れ目を前記外側包みシート部と内側包みシート部に形成し、この第二切れ目と前記切れ目で挟まれた範囲を開放可能な平面部箸取出し口とした請求項１から４のいずれかに記載の全封箸袋。
【請求項７】
前記内側包みシート部を被包される箸を取り出し可能な短い横幅長さに形成すると共に、前記各シール接着部の内側近傍にそれぞれ形成した前記切れ目のいずれか一方の切れ目と所定の間隔をおいた縦幅方向における内側位置に前記切れ目と平行なミシン目状の第二切れ目を前記外側包みシート部に形成し、この第二切れ目と前記切れ目で挟まれた範囲を開放可能な平面部箸取出し口とした請求項１から４のいずれかに記載の全封箸袋。
【請求項８】
前記切れ目及び前記第二切れ目を、互いに近設した平行な対のミシン目状切れ目部を構成単位として形成し、対のミシ目状切れ目部の一方側の各接続部と各切れ目部を他方側の各接続部と各切れ目部に対して包み方向において互い違いに形成すると共に、一方側の各切れ目部の切れ目端とこの切れ目端に隣り合う他方側の切れ目部とを縦幅方向に交わる位置に形成した請求項６又は７に記載の全封箸袋。
【請求項９】
前記包みシートの素材を、紙製とし、口を拭うのに適したナプキン紙などの衛生紙とした請求項１から８のいずれかに記載の全封箸袋。
【考案の詳細な説明】
【技術分野】
【０００１】
本考案は、箸全体を包装する全封箸袋であり、この箸袋から箸を取り出した後は袋を開いた展開状態での他の用途（例えば、食卓用の敷紙や紙ナプキン）への再利用が可能な全封箸袋に関する。
【背景技術】
【０００２】
箸袋は、箸全体を包装する全体包装タイプと、箸を部分的に包装する部分包装タイプに大別される。例えば、包装材を紙材とした全体包装タイプの箸袋としては、折れ線で二つ折りされた表裏シートの三辺をシール接着し、表裏シート間に入れられた箸を密閉包装する三辺シール構造のもの（例えば、特許文献１の図２）、紙材で箸を包み、長手方向の両端側を折返して袋体を構成した両端折返し構造もの（例えば、特許文献２の図１）が知られている。
【０００３】
前述した三辺シール構造の箸袋は、包装形態を固定化しているため箸包装形態を安定した状態に保持でき、しかも、出荷元から出荷先に大量出荷する場合、包装形態が安定しているため、大量の箸袋の袋詰めを自動化し易く、嵩張ることもない。しかし、三辺シール構造の箸袋は、箸を箸袋から取り出す際、箸袋の端部シール部を綺麗に破り取るのが難しく、しかも、箸袋として用いた後、袋を開いた展開状態での他の用途への再利用をしようとしても、他のシール部（他方の端部シール部のみならず長手方向に沿う側部シール部も）も破り取らねばならず、展開して広げることは極めて困難で、しかも破損なく展開して広げることは実質的に不可能であるため、袋を開いた展開状態での他の用途への再利用は実質的に不可能である。このようなこともあり、三辺シール構造の箸袋は、箸袋として用いた後は、ゴミとして破棄しているのが実情である。
【０００４】
前述した両端折返し構造の箸袋は、箸袋として用いた後、袋を開いた展開状態での他の用途への再利用が可能である。しかし、長手方向の両端側を単に折り返して包装形態を維持しようとしているため、包装形態が不安定で箸包装形態を保持しにくく、出荷元から出荷先に大量出荷する場合、包装形態が不安定なため、大量の箸袋の袋詰めを自動化するのが難しく、嵩張る欠点がある。しかも、長手方向の両端側をそれぞれ折り返す折畳み手段を含むため、大量生産するための機械の自動化が困難である。
【先行技術文献】
【特許文献】
【０００５】
【特許文献１】実開平５−７７０７３号公報
【特許文献２】実開昭６１−１１８４７５号公報
【考案の概要】
【考案が解決しようとする課題】
【０００６】
本考案は、このような実情に鑑み、箸全体を包装する全体包装タイプの箸袋として、箸包装形態を安定した状態に保持でき、出荷元から出荷先に大量出荷する場合、袋詰めの自動化が容易であり、嵩張ることもない、全封箸袋を提供しようとするものである。しかも、大量生産するための機械の自動化が容易な全封箸袋を提供しようとするものである。しかも、袋内に封入された箸を取り出す際、箸袋に綺麗な切り口の取出し口を容易に形成できる全封箸袋を提供しようとするものである。さらに、箸袋として用いた後、袋を開いた展開状態での他の用途（例えば、食卓用の敷紙や紙ナプキン）への再利用が可能な全封箸袋を提供しようとするものである。
【課題を解決するための手段】
【０００７】
上記した課題を解決するため、本考案（請求項１）は、包装される箸の全長より長い縦幅を有し、この縦幅方向と平行な各横幅規制折り目でベース包みシート部と該ベース包みシート部の両側に位置する内側包みシート部と外側包みシート部とに区画した紙製、不織布製又は樹脂製の包みシートを、前記ベース包みシート部の包み面に向けて前記内側包みシート部と外側包みシート部とを前記各横幅規制折り目を介して交互に横幅方向に折り返し、前記ベース包みシート部と前記内側及び外側包みシート部との間に包装される箸の全長を縦幅方向に向けて被包する包み範囲部を形成した略扁平状の包み体であり、この包み体の縦幅方向における両端部をシール接着し、且つこの両端部のシール接着部の内側近傍に該シール接着部を前記包み範囲部から切り離し可能なミシン目状の切れ目を前記包み体の包み方向（すなわち横幅方向）の全周に亘ってそれぞれ形成した全封箸袋を提供する。
【０００８】
この考案の全封箸袋は、包み体の両端部をシール接着してあるため、箸を被包した包装形態を略完全に保持でき、箸包装から使用時までの間に箸に汚れが付着する恐れもなく、包装形態も変形する恐れもない。そして、両方のシール接着部のうちいずれか一方のシール接着部をミシン目状の切れ目に沿って切り離し、開放された包み体の端部から全封入されていた箸を容易に取り出すことができる。しかも、箸袋として使用した後は、他方のシール接着部もミシン目状の切れ目に沿って切り離せば、包み体の包み範囲部は広げたシート状に展開できるため、シート状に展開した包み体を他の用途（例えば、食卓用の敷紙や紙ナプキン）へ再利用が可能である。
【０００９】
さらに、本考案（請求項２）は、前記包みシートを、前記各横幅規制折り目と平行な折り目で二層の重ねシートに折畳み、この重ねシートに前記各横幅規制折り目で前記ベース包みシート部、前記内側包みシート部、前記外側包みシート部を区画形成した全封箸袋を提供する。
【００１０】
この考案によれば、前記包みシートの素材を、紙製、特に比較的薄手の衛生紙（坪量が小さなナプキン原紙）とした場合であっても、箸袋としての包装機能を保持できる。しかも、箸袋として使用した後、包み体を広げて他の用途（例えば、食卓用の敷紙や紙ナプキン）に再利用する場合、広い横幅サイズの展開シートにできる。
【００１１】
さらに、本考案（請求項３）は、前記外側包みシート部の包み方向（すなわち横幅方向）の先端側を前記各横幅規制折り目と平行な先端部折り目で包み方向の内側に折り返し、この外側包みシート部の先端部に前記先端部折り目で内側に折り返された折り返し端片を形成すると共に、前記先端部折り目の位置を、前記ベース包みシート部と前記内側包みシート部とを区画する前記横幅規制折り目から包み方向（すなわち横幅方向）の内側にズラした包み体とした全封箸袋を提供する。例えば、前記ベース包みシート部の横幅サイズに対して前記外側包みシート部の横幅サイズを前記先端部折り目による折り返し分（前記折り返し端片の横幅サイズ）だけ短くなるようにした全封箸袋を提供する。
【００１２】
この考案によれば、特に、箸袋として使用した後、包み体を広げるのが容易である。すなわち、両端のシール接着部が切れ目で切り離された包み体の外側包みシート部の先端部は、先端部折り目で内側に折り返された折り返し端片を含み、この先端部は前記折り返し端片の働きによって内側包みシート部の外面に密接せずに、この外面から離れる方向に自然に少し開くため、且つ前記先端部折り目の位置を前記横幅規制折り目から包み方向（すなわち横幅方向）の内側にズラして、先端部を見えやすくしてあるため、この折り返し端片を含む先端部を摘まんで包み体を広げるのが容易である。
【００１３】
さらに、本考案（請求項４）は、前記包みシートを、前記各横幅規制折り目と平行な折り目で横幅方向の両端辺を長短ずらした二つ折りに折畳み、この折畳みシートの前記折り目側を前記内側包みシート部、前記両端辺側を前記外側包みシート部とし、この外側包みシート部の長い端辺側の先端部を前記各横幅規制折り目と平行な先端部折り目でこの外側包みシート部の短い端辺側の先端部に向けて包み方向の内側に折り返し、この外側包みシート部の先端部に前記先端部折り目で折り返された折り返し端片を形成し、前記ベース包みシート部の横幅サイズに対して前記外側包みシート部の横幅サイズを前記先端部折り目による折り返し分（前記折り返し端片の横幅サイズ）だけ短く形成した全封箸袋を提供する。
【００１４】
この考案によれば、特に、箸袋として使用した後、包み体を広げるのが容易である。すなわち、両端のシール接着部が切れ目で切り離された包み体の外側包みシート部の先端部は、先端部折り目で内側に折り返された折り返し端片を含み、この先端部は前記折り返し端片の働きによって内側包みシート部の外面に密接せずに、この外面から離れる方向に自然に少し開くため、且つ前記先端部折り目の位置を前記横幅規制折り目から包み方向（すなわち横幅方向）の内側にズラして、先端部を見えやすくしてあるため、この折り返し端片を含む先端部を摘まんで包み体を広げるのが容易である。しかも、この考案によれば、包みシートの全体を実質的に二層の重ねシートにできるため、前記包みシートの素材を、紙製、特に比較的薄手の衛生紙（坪量が小さなナプキン原紙）とした場合であっても、箸袋としての包装機能を保持できる。そして、箸袋として使用した後、包み体を広げて他の用途（例えば、食卓用の敷紙や紙ナプキン）に再利用する場合、広い横幅サイズの展開シートにできる。
【００１５】
さらに、本考案（請求項５）は、前記切れ目を、互いに近設した平行な対のミシン目状切れ目部を構成単位として形成し、対のミシ目状切れ目部の一方側の各接続部と各切れ目部を他方側の各接続部と各切れ目部に対して包み方向（すなわち横幅方向）において互い違いに形成すると共に、一方側の各切れ目部の切れ目端とこの切れ目端に隣り合う他方側の切れ目部とを縦幅方向に交わる位置に形成した全封箸袋を提供する。
【００１６】
例えば、ナプキン紙などの薄手の衛生紙は、横幅方向の引っ張り強さに比べて縦幅方向の引っ張り強さを強く形成してある。すなわち、この種の衛生紙は、縦幅方向に沿って引き裂かれやすいが、横幅方向に沿って引き裂かれにくい紙質に形成されている。この考案は、前記包みシートの素材を、紙製、特にこの種の衛生紙とした場合に効果的である。対のミシン目状切れ目部は、一方側の各切れ目部の切れ目端とこの切れ目端に隣り合う他方側の切れ目部とが縦幅方向に沿って引き裂かれ（図３参照）、シール接着部を切れ目に沿って容易に切り離しできる。しかも、縦幅方向に沿う裂かれの広がりを、一方側の切れ目端に隣り合う他方側の切れ目部で止めることができ、シール接着部を包み範囲部から綺麗に切り離しできる。よって、箸袋として使用した後、包み体を広げて他の用途（例えば、食卓用の敷紙や紙ナプキン）に再利用する場合、綺麗な切り離し端部をもつ食卓用の敷紙や紙ナプキンとして再利用可能である。
【００１７】
さらに、本考案（請求項６）は、前記各シール接着部の内側近傍にそれぞれ形成した前記切れ目のいずれか一方の切れ目と所定の間隔をおいた縦幅方向における内側位置に前記切れ目と平行なミシン目状の第二切れ目を前記外側包みシート部と内側包みシート部に形成し、この第二切れ目と前記切れ目で挟まれた範囲を開放可能な平面部箸取出し口とした全封箸袋を提供する。
【００１８】
この考案によれば、前記切れ目と前記第二切れ目との間に位置する前記外側包みシート部の部分を両切れ目に沿って切り離しながら包み方向とは逆方向に開き、次いで前記切れ目と前記第二切れ目との間に位置する前記内側包みシート部の部分を両切れ目に沿って切り離しながら包み方向とは逆方向に開けば、前記外側及び内側包みシート部の開けた範囲に平面部箸取出し口を形成できる。したがって、箸袋としてのみ用いる場合（包み体を展開して他用途に用いない場合）は、この平面部箸取出し口を形成すれば足り、シール接着部をミシン目状の切れ目に沿って切り離す必要はない。
【００１９】
さらに、本考案（請求項７）は、前記内側包みシート部を被包される箸を取り出し可能な短い横幅長さに形成すると共に、前記各シール接着部の内側近傍にそれぞれ形成した前記切れ目のいずれか一方の切れ目と所定の間隔をおいた縦幅方向における内側位置に前記切れ目と平行なミシン目状の第二切れ目を前記外側包みシート部に形成し、この第二切れ目と前記切れ目で挟まれた範囲を開放可能な平面部箸取出し口とした全封箸袋を提供する。
【００２０】
この考案によれば、前記切れ目と前記第二切れ目との間に位置する前記外側包みシート部の部分を両切れ目に沿って切り離しながら包み方向とは逆方向に開けば、前記外側包みシート部の開けた範囲と前記内側包みシート部の非被い範囲に平面部箸取出し口を形成できる。したがって、箸袋としてのみ用いる場合（包み体を展開して他用途に用いない場合）は、この平面部箸取出し口を形成すれば足り、シール接着部をミシン目状の切れ目に沿って切り離す必要はない。
【００２１】
さらに、本考案（請求項８）は、前記切れ目及び前記第二切れ目を、互いに近設した平行な対のミシン目状切れ目部を構成単位として形成し、対のミシ目状切れ目部の一方側の各接続部と各切れ目部を他方側の各接続部と各切れ目部に対して包み方向（すなわち横幅方向）において互い違いに形成すると共に、一方側の各切れ目部の切れ目端とこの切れ目端に隣り合う他方側の切れ目部とを縦幅方向に交わる位置に形成した全封箸袋を提供する。
【００２２】
さらに、本考案（請求項９）は、前記包みシートの素材を、紙製とし、口を拭うのに適したナプキン紙などの衛生紙とした全封箸袋を提供する。
【００２３】
この考案によれば、前記した働きに加え、特に箸袋として使用した後は、シート状に展開した包み体を食卓用の紙ナプキンとして兼用できる。
【考案の効果】
【００２４】
本考案によれば、箸全体を包装する全体包装タイプの箸袋として、箸包装形態を安定した状態に保持でき、出荷元から出荷先に大量出荷する場合、袋詰めの自動化が容易であり、嵩張ることもない、全封箸袋を提供できる。しかも、大量生産するための機械の自動化が容易な紙製全封箸袋を提供できる。しかも、袋内に封入された箸を取り出す際、箸袋に綺麗な切り口の取出し口を容易に形成できる全封箸袋を提供できる。さらに、箸袋として用いた後、袋を開いた展開状態での他の用途（例えば、食卓用の敷紙や紙ナプキン）への再利用が可能な全封箸袋を提供できる。
【図面の簡単な説明】
【００２５】
【図１】本考案の正面図である。
【図２】図１の実施形態の形成過程を概略的に示す斜視図である。
【図３】シール接着部の切離しを説明的に示す正面図である。
【図４】本考案の他の実施形態を示す正面図である。
【図５】図４の実施形態の形成過程を概略的に示す斜視図である。
【図６】本考案の他の実施形態を示す正面図である。
【図７】図６の実施形態の平面部箸取出し口の形成過程を概略的に示す断面図である。
【図８】本考案の他の実施形態を示す正面図である。
【図９】図８の実施形態の平面部箸取出し口の形成過程を概略的に示す断面図である。
【考案を実施するための形態】
【００２６】
本考案の実施形態を図１〜図３に基づき説明する。この実施形態の全封箸袋１は、包装される箸（Ｈ）の全長より長い縦幅を有し、この縦幅方向と平行な各横幅規制折り目Ｌ１，Ｌ２でベース包みシート部２と該ベース包みシート部２の両側に位置する内側包みシート部３と外側包みシート部４とに区画した包みシート（紙製包みシート）Ｓを、前記ベース包みシート部２の包み面に向けて前記内側包みシート部３と外側包みシート部４とを前記各横幅規制折り目Ｌ１，Ｌ２を介して交互に横幅方向に折り返し、前記ベース包みシート部２と前記内側包みシート部３及び外側包みシート部４との間に包装される箸（Ｈ）の全長を縦幅方向に向けて被包する包み範囲部を形成した略扁平状の包み体５とし、この包み体５の縦幅方向における両端部をシール接着６，６して両端開放部を封止し、且つ両端のシール接着部６，６の内側近傍に該シール接着部６，６を前記包み範囲部から切り離し可能なミシン目状の切れ目７，７を前記包み体５の包み方向（すなわち横幅方向）の全周に亘ってそれぞれ形成して、構成してある。
【００２７】
この実施形態では、前記包みシートＳの素材を紙製としてある。しかし、不織布製や樹脂製の包みシートを除外するものではない。
【００２８】
この実施例では、包装される箸（Ｈ）の長さを約２０ｃｍとした場合、包みシートＳの縦幅サイズを約２５ｃｍとし、横幅サイズを約１２ｃｍ（後述する二つ折りの重ねシートの二つ折り前の展開した横幅サイズは倍の約２４ｃｍとなる。）とし、前記ベース包みシート部２、前記内側包みシート部、及び外側包みシート部４の各縦幅サイズを略同寸にしてある。もちろん、本考案はこれらのサイズに限定されるものではない。
【００２９】
前記シール接着６，６は、エンボス接着によって実施される。しかし、接着剤（例えば、ホットメルト形接着剤）による接着を除くものではない。
【００３０】
なお、機械化製造においては、シール接着６，６の前に各シール接着範囲を部分的に接着のりで仮接着した包み体５とし、この包み体５の両端部をエンボス接着によってシール接着６，６するようにすれば、接着強度が高まると共に、製造機械による自動化がさらに容易である。
【００３１】
この全封箸袋１は、包み体５の縦幅方向における両端部をシール接着６，６してあるため、包装される箸（Ｈ）を被包した包装形態を略完全に保持でき、箸包装から使用時までの間に箸に汚れが付着する恐れもなく、包装形態も変形する恐れもない。そして、両端のシール接着部６，６のうちいずれか一方のシール接着部をミシン目状の切れ目７に沿って切り離し、開放された包み体５の端部から全封入されていた箸を容易に取り出すことができる。しかも、箸袋として使用した後は、他方のシール接着部６もミシン目状の切れ目７に沿って切り離せば、包み体５の包み範囲部は広げたシート状に展開できるため、シート状に展開した包み体を他の用途（この実施例では食卓用の紙ナプキンとして）へ再利用が可能である。展開した包み体の包み面側を食卓用敷紙の表面側とすれば、汚れのない食卓用紙敷として兼用できる。また、印刷が容易である紙製の包み体の両面又は一方の面に適宜印刷を施しておけば、シート状に展開した包み体を広告媒体などにも利用できる。
【００３２】
この実施例では、前記包みシートＳの素材を、箸袋としての使用後に食卓用の紙ナプキンとしても兼用できるように、口を拭うのに適したナプキン紙（衛生紙）としている。この衛生紙は比較的薄手であり、また紙ナプキンとして用いる場合は広い口拭い面がほしいことから、図２（Ａ）に示したように、この包みシートＳを、前記各横幅規制折り目Ｌ１，Ｌ２と平行な折り目Ｌ３で二つ折りした二層の重ねシートＳ１，Ｓ２とし、この重ねシートＳ１，Ｓ２を包みシートＳとして、前記各横幅規制折り目Ｌ１，Ｌ２で前記ベース包みシート部２、前記内側包みシート部３、前記外側包みシート部４を区画形成した。
【００３３】
このように、包みシートＳを折り目Ｌ３で二つ折りした二層の重ねシートＳ１，Ｓ２にしたことによって、比較的薄手の衛生紙（坪量が小さなナプキン原紙）であっても、箸袋としての包装機能を保持でき、しかも、箸袋として使用した後、包み体を広げて他の用途（例えば、食卓用の敷紙や紙ナプキン）に再利用する場合、広い横幅サイズの展開シートにできるようにした。
【００３４】
前記切れ目７は、互いに近設した平行な対のミシン目状切れ目部７ａ，７ｂを構成単位として形成し、対のミシ目状切れ目部７ａ，７ｂの一方側の各接続部８と各切れ目部９を他方側の各接続部８と各切れ目部９に対して包み方向（すなわち横幅方向）において互い違いに形成すると共に、一方側の各切れ目部９の切れ目端９ａとこの切れ目端９ａに隣り合う他方側の切れ目部９とを縦幅方向に交わる位置に形成してある。対のミシ目状切れ目部７ａ，７ｂの間隔は、包みシートの素材によって調整される。衛生紙を用いたこの実施例では、２ｍｍ前後の間隔としてある。この切れ目７によれば、図３に示したように、対のミシン目状切れ目部７ａ，７ｂは、一方側の各切れ目部９の切れ目端９ａとこの切れ目端９ａに隣り合う他方側の切れ目部９とが縦幅方向に沿って切り裂かれ（図３参照）、シール接着部６を切れ目７に沿って容易に切り離しできる。しかも、縦幅方向に沿う裂かれの広がりを、一方側の切れ目端９ａに隣り合う他方側の切れ目部９で止めることができ、シール接着部６を包み範囲部から綺麗に切り離しできる。この実施例の切れ目７は、包みシートＳを衛生紙とした場合に特に効果的である。
【００３５】
次に、本考案の他の実施形態を図４〜図５に基づき説明する。この実施形態の全封箸袋１は、前記包みシート（紙製包みシート）Ｓを、前記各横幅規制折り目Ｌ１，Ｌ２と平行な折り目Ｌ３で横幅方向の両端辺を長短ずらした二つ折りに折畳み、この折畳みシートの前記折り目（Ｌ３）側を内側包みシート部３、前記両端辺側を外側包みシート部４とし、この外側包みシート部４の長い端辺側の先端部を前記各横幅規制折り目Ｌ１，Ｌ２と平行な先端部折り目Ｌ４でこの外側包みシート部４の短い端辺に向けて包み方向の内側に折り返し、この外側包みシート部４の先端部に前記先端部折り目Ｌ４で折り返された折り返し端片４Ａを形成し、前記ベース包みシート部２の横幅サイズに対して前記外側包みシート部４の横幅サイズを前記先端部折り目Ｌ４による折り返し分（前記折り返し端片４Ａの横幅サイズ）だけ短く形成したことを特徴としている。なお、図４〜図５に示した実施形態において、図１〜図３に示した実施形態と同符号で示した構成は実質的に同じ構成であるため、重複する構成の説明は省略する。
【００３６】
図４〜図５に示した実施形態の全封箸袋によれば、特に、箸袋として使用した後、包み体５を広げるのが容易である。すなわち、両端のシール接着部６，６が切れ目７，７で切り離された包み体の外側包みシート部４の先端部は、先端部折り目Ｌ４で内側に折り返された折り返し端片４Ａを含み、この先端部は前記折り返し端片４Ａの働きによって内側包みシート部３の外面に密接せず、この外面から離れる方向に自然に少し開くため、且つ前記先端部折り目Ｌ４の位置を前記横幅規制折り目Ｌ１から包み方向（すなわち横幅方向）の内側にズラして、先端部を見えやすくしてあるため、この折り返し端片４Ａを含む先端部を摘まんで包み体５を広げるのが容易である。しかも、この考案によれば、包みシートの全体を二層の重ねシートにできるため、前記包みシートＳの素材を、比較的薄手の衛生紙（坪量が小さなナプキン原紙）とした場合であっても、箸袋としての包装機能を保持できる。そして、箸袋として使用した後、包み体を広げて他の用途（この実施例では食卓用の紙ナプキンとして）に再利用する場合、広い横幅サイズの展開シートにできる。
【００３７】
次に、本考案の他の実施形態を図６〜図７に基づき説明する。この実施形態の全封箸袋１は、片方の前記切れ目７（好ましくは、包装された箸のつかみ側の切れ目７）と所定の間隔をおいた内側位置にこの切れ目７と平行なミシン目状の第二切れ目１０を前記外側包みシート部４と内側包みシート部３に形成し、この第二切れ目１０と前記切れ目７で挟まれた範囲を開放可能な平面部箸取出し口１１としたことを特徴としている。なお、図６〜図７に示した実施形態において、図１〜図３に示した実施形態と同符号で示した構成は実質的に同じ構成であるため、重複する構成の説明は省略する。
【００３８】
図６〜図７に示した実施形態の全封箸袋１によれば、前記切れ目７と前記第二切れ目１０との間に位置する前記外側包みシート部４の部分４ａを両切れ目７，１０に沿って切り離しながら包み方向とは逆方向に開き、次いで前記切れ目７と前記第二切れ目１０との間に位置する前記内側包みシート部３の部分３ａを両切れ目７，１０に沿って切り離しながら包み方向とは逆方向に開けば、前記外側及び内側包みシート部４，３の開けた範囲に平面部箸取出し口１１を形成できる。
【００３９】
次に、本考案の他の実施形態を図８〜図９に基づき説明する。この実施形態の全封箸袋１は、前記内側包みシート部３を被包される箸を取り出し可能な短い横幅長さに形成し、片方の前記切れ目７（好ましくは、包装された箸のつかみ側の切れ目７）と所定の間隔をおいた内側位置にこの切れ目７と平行なミシン目状の第二切れ目１０を前記外側包みシート部４に形成し、この第二切れ目１０と前記切れ目７で挟まれた範囲を開放可能な平面部箸取出し口１１としたことを特徴としている。なお、図８〜図９に示した実施形態において、図１〜図３に示した実施形態と同符号で示した構成は実質的に同じ構成であるため、重複する構成の説明は省略する。
【００４０】
図８〜図９に示した実施形態の全封箸袋１によれば、前記切れ目７と前記第二切れ目１０との間に位置する前記外側包みシート部４の部分４ａを両切れ目７，１０に沿って切り離しながら包み方向とは逆方向に開けば、前記外側包みシート部４の開けた範囲と前記内側包みシート部３の非被い範囲１２に平面部箸取出し口１１を形成できる。
【符号の説明】
【００４１】
１  全封箸袋
Ｈ  箸
Ｓ  包みシート
Ｓ１，Ｓ２  重ねシート
Ｌ１，Ｌ２  横幅規制折り目
Ｌ３  折り目（二つ折り折り目）
Ｌ４  先端部折り目
２  ベース包みシート部
３  内側包みシート部
４  外側包みシート部
４Ａ  折り返し端片
５  包み体
６，６  シール接着部
７，７  ミシン目状の切れ目
７ａ，７ｂ  対のミシン目状切れ目部
８  ミシン目状切れ目部の各接続部
９  ミシン目状切れ目部の各切れ目部
１０  ミシン目状の第二切れ目
１１  平面部箸取出し口
【図１】
0003152057.tif 000003
【図２】
0003152057.tif 000004
【図３】
0003152057.tif 000005
【図４】
0003152057.tif 000006
【図５】
0003152057.tif 000007
【図６】
0003152057.tif 000008
【図７】
0003152057.tif 000009
【図８】
0003152057.tif 000010
【図９】
0003152057.tif 000011